【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
プログラムテレビ番組予定表の表示を予定されているテキスト情報の分類に基づいて、テキストビデオデコーダと、制御入力と、ユーザパラメータのメモリとを含む複数のペイテレビ受像機に管理センターによって送信されたオーディオ、ビデオおよび制御情報を含むデータ・ストリーム（ＤＡＴＡ）からの情報をフィルタリングする方法であって、
この番組予定表が、番組について記載するとともに、番組のインデックスと、コンテント記述と、アクセス権と、言語とを含む制御データから発せられるテキスト情報の第１のデータのセットから規定されるものにおいて、
あらかじめ定められたソーティング基準に従い、インデックステーブル（ＦＴ）を定義する少なくとも第２のセットの情報を管理センターによって生成し、
前記データ・ストリームＤＡＴＡの制御データに前記テーブル（ＦＴ）を定義するデータを加え、
前記インデックステーブル（ＦＴ）を前記ペイテレビ受像機に送信し、
前記テーブル（ＦＴ）を受信し、かつ前記テキストビデオデコーダのメモリ（ＭＦＴ）に記憶し、
所望の基準がユーザの望んだ基準と一致する場合、前記インデックステーブル（ＦＴ）を第１のレベルテキストフィルタリング装置に加え、
前記フィルタリング装置から得られる情報を受信し、かつ番組予定表を表示するためにそれらの情報を使用することを特徴とする方法。
【請求項２】
言語基準のためのテーブル、カテゴリー基準のためのテーブルおよび／または販売促進のオファーのためのテーブルのような各所望の基準のためのテーブルを作成することからなることを特徴とする請求項１に記載の方法。
【請求項３】
前記インデックステーブル（ＦＴ）を選択基準を時間枠識別子およびこの時間枠のランク識別子で満たす番組で構成することを特徴とする請求項１あるいは２に記載の方法。
【請求項４】
スタートが近づく番組の表示を主に許可することにあることを特徴とする請求項１ないし３に記載の方法。
【請求項５】
管理センターから放送を受信し、制御入力と、作業メモリ（ＭＦＴ）とを含むペイテレビ受像機であって、このセンターが、番組について記載するとともに、番組のインデックス、コンテント記述、アクセス権、言語を含む第１のデータのセットをプログラムグリッドビデオデコーダによってテレビ番組予定表を規定するように送信するものにおいて、インデックステーブル（ＦＴ）を規定する第２のデータのセットによる、ユーザープロフィールの機能の中でプログラムされ、インデックステーブル（ＦＴ）の内容に従って選択を実行する第１のレベルテキストフィルタリングモジュールを含み、所与の基準に対して、この基準を満たすとともに前記番組表への表示が予定されているプログラム情報を定義しているインデックスリストを含み、このテーブルが、前記管理センターによって作成され、送信され、かつ主メモリ（ＭＦＴ）に記憶されることを特徴とするペイテレビ受像機。
【請求項６】
前以て購入した番組の編集したものにあるユーザプロフィールメモリを含み、かつ前記テキストフィルタリングモジュールが、ユーザプロフィールの機能で表示されたテキストを許可あるいは抑制することを特徴とする請求項５に記載のペイテレビ受像機。
【手続補正２】
【補正対象書類名】明細書
【補正対象項目名】発明の名称
【補正方法】変更
【補正の内容】
【発明の名称】情報をフィルタリングするための装置および方法
【手続補正３】
【補正対象書類名】明細書
【補正対象項目名】０００３
【補正方法】変更
【補正の内容】
【０００３】
ＩＭＤＢ（インターネット・ムービィー・ディテッド・ベース）のような事業は、スクリーン上に提供されたたくさんの映画のための情報（例えば、俳優、ポスター、テーマソング等の名前）を公衆に提供する。このような事業の売り物の特徴は、インターネットサイトｈｔｔｐ：／／ｗｗｗ．ｉｍｄｂ．ｃｏｍにもとづいて利用できる。しかしながら、これらの売り物は、精察している時間、所与の瞬間に利用できる売り物の映画をテレビ受像機で見たいテレビ視聴者に情報を提供しない。
米国特許第579785号には、大量の情報の選別を促進すべく、番組予定表中のデータを構成する方法が記載される。この特許で提案される解決方法は、所定のユーザについての好みや習慣の学習である。
この特許には、デコーダのメモリ中にロードした複雑なプログラムの助けにより多くのデータを受信するとともに処理するデコーダについて記載される。ユーザは、テレビに表示された予定表からリモコンでテレビ番組を選ぶ。
テレビ番組の選択は個人専用にすることができ、ユーザの習慣によって自動的に修正される。
上記方法における主な欠点は、このデコーダが管理センターによって送信された大量の情報により番組表中に表示されることを予定されているテレビ番組をソートし、かつ分類する多くの機能を必要とすることである。
さらに、通常制限のあるデコーダのリソースにより、十分な処理速度に達することができない。
【手続補正４】
【補正対象書類名】明細書
【補正対象項目名】０００５
【補正方法】変更
【補正の内容】
【０００５】
本発明の目的は、プログラムテレビ番組予定表の表示を予定されているテキスト情報の分類に基づいて、管理センターによって、テキストビデオデコーダ、制御入力およびユーザパラメータのメモリを含む多くのペイテレビ受像機に送信されたオーディオ、ビデオおよび制御情報を含むデータ・ストリームからの情報をフィルタリングする方法によって達成される。このテキスト情報の第１のセットから定義されているこの番組予定表は、番組について記載するとともに、そのインデックス、コンテント記述、アクセス権、言語を含む制御データから発せられる。
この方法は、 あらかじめ定められたソーティング基準に従い、インデックステーブル（ＦＴ）を定義する、少なくとも第２のセットの情報を管理センターによって生成し、データ・ストリームＤＡＴＡの制御データにテーブル（ＦＴ）を定義するデータを加え、ペイテレビ受像機に前記インデックスしテーブル（ＦＴ）を送信し、テキストビデオデコーダのメモリ（ＭＦＴ）中に前記テーブル（ＦＴ）を受信するとともに記憶し、所望の基準がユーザにより求められる基準と一致する場合、第１のレベルテキストフィルタリング装置に前記インデックステーブル（ＦＴ）のパラメータを適用し、前記フィルタリング装置からの情報を受信し、番組予定表を表示するためにそれらの情報を使用するものである。
【手続補正５】
【補正対象書類名】明細書
【補正対象項目名】００３８
【補正方法】変更
【補正の内容】
【００３８】
本発明はまた、管理センターからの伝送を受信するペイテレビ受像機に関する。このペイテレビ受像機は、管理センターから放送を受信し、制御入力と、作業メモリ（ＭＦＴ）とを含むペイテレビ受像機であって、このセンターが、番組について記載するとともに、番組のインデックス、コンテント記述、アクセス権、言語を含む第１のデータのセットをプログラムグリッドビデオデコーダによってテレビ番組予定表を規定するように送信するものにおいて、インデックステーブル（ＦＴ）を規定する第２のデータのセットによる、ユーザプロフィールの機能の中でプログラムされ、インデックステーブル（ＦＴ）の内容に従って選択を実行する第１のレベルテキストフィルタリングモジュールを含み、所与の基準に対して、この基準を満たすとともに前記番組表への表示が予定されているプログラム情報を定義しているインデックスリストを含み、このテーブルが、前記管理センターによって作成され、送信され、かつ主メモリ（ＭＦＴ）に記憶されることを特徴とする。
さらに、この受像機は、予め視聴されるイベントのためのメモリを含み、このユーザプロフィールに従って情報をフィルタリングするようにユーザプロフィールを決定する。